(57)【要約】【課題】コンパクトでありながら、バッグ本体をカップ内の湯や水の中に沈み込ませたり、十分に撹拌させたりできる構成になっており、しかも慣用的な製袋充填装置を用いて製造できる抽出用バッグの提供。【解決手段】バッグ本体３はフィルター材シート５の合わせシール７、９、１１により製袋化され、内部に被抽出物Ｔが充填されており、ホルダー機能を備えたホルダー１３が、バッグ本体３上に上下方向からはみ出さない位置で重ね合わされ、その下端部が固着されて連設されており、使用前はバッグ本体３に重ね合わされ、使用時には起こされて、湯の入ったカップに入れられる。バッグ本体３はホルダー１３に押えられていることから、カップの湯中に沈み込み、途中で浮き上がることはない。抽出後には、ホルダー１３をカップから外し、バッグ本体３を揺らして撹拌することができる。【選択図】        図４
2012187278.tif 000002
【特許請求の範囲】
【請求項１】
フィルター材シートの合わせシールにより製袋化され、内部に被抽出物が充填されたバッグ本体と、前記バッグ本体に固着されたシート状の把持部を備えた抽出用バッグにおいて、
前記把持部は、前記バッグ本体上に上下方向からはみ出さない位置で重ね合わされ、その下端部が固着されて連設されており、
抽出時に、前記把持部が前記バッグ本体に対して起こされることを特徴とする抽出用バッグ。
【請求項２】
請求項１に記載した抽出用バッグにおいて、
バッグ本体は、フィルター材シートの背面側の合わせシールと上下方向での合わせシールにより製袋化されていることを特徴とする抽出用バッグ。
【請求項３】
請求項２に記載した抽出用バッグにおいて、
把持部にはカップの縁に係止またはカップの縁上に載置するためのホルダー片が左右両方に一体に形成されており、バッグ本体上に重ね合わされた状態では左右方向からはみ出していることを特徴とする抽出用バッグ。
【請求項４】
請求項１から３のいずれかに記載した抽出用バッグにおいて、
バッグ本体は平袋状に製袋化されていることを特徴とする抽出用バッグ。
【請求項５】
請求項１から４のいずれかに記載した抽出用バッグの製造方法において、
連続したフィルター材シート上に所定の間隔をおいて複数の把持部が配置され固着されたものを準備しておき、その連続したシートを前記把持部の下端部側が先になる向きで長手方向へ送りながらその両側縁を重ね合わせて長手方向に縦シール部を形成し、その後に所定の間隔をあけて幅方向にそれぞれ横シール部を形成することにより製袋化すると共に、横シール部の形成の間に被抽出物の充填を行うことで製袋充填することを特徴とする製造方法。
【発明の詳細な説明】
【技術分野】
【０００１】
本発明は、茶やコーヒー等の被抽出物の抽出に用いる抽出用バッグに係り、より詳しくは、フィルター材シートの合わせシールにより製袋化され、内部に被抽出物が充填されたバッグ本体と、前記バッグ本体に固着されたシート状の把持部を備えた抽出用バッグに関するものである。
【背景技術】
【０００２】
茶の抽出用バッグは、バッグ本体にタグ付き糸を固着したタイプのものが多い。このタイプでは、タグ付き糸を連続したフィルター材シートに予め固着しておけるので、そのフィルター材シートを用意しておけば、後は製袋充填装置にかけて一連の工程で連続的に効率良く製造できるようになっている。
而して、茶を抽出する場合には、バッグ本体をカップ内の湯や水の中に沈み込ませた方が効率良く且つ美味しく抽出できるが、上記したタイプのものでは、どうしてもバッグ本体が浮き上がって湯上に出てしまう。
【０００３】
一方、コーヒーの抽出用バッグは、バッグ本体を開口させてそこに湯を注ぐため、特許文献１に示すように、バッグ本体に二つ折りのホルダーを横から挟み込んで固着したタイプのものが多いが、特許文献２にはバッグ本体の上部に把持部を固着したタイプのものも提案されている。
この特許文献２のタイプのものを利用して、図８（Ａ）に示すように、把持部を横長にしてホルダー１０１に変更すれば、ホルダー１０１からバッグ本体１０３が下方に十分に長く延び出ているので、ホルダー１０１をカップの縁に係止または載置したときに、バッグ本体１０３をカップ内の湯や水の中に沈み込ませることができる。しかしながら、このタイプでは、図８（Ｂ）に示すように、フィルター材シートを製袋化してバッグ本体１０３を製造した後に改めてホルダー１０１を固着することになり、効率的に製造できない。また、バッグ本体１０３からホルダー１０１が大きくはみ出してしまうので、その分だけ抽出用バッグを包装する外袋も大きくしなければならない。
【０００４】
また、茶を抽出する場合には、湯または水に抽出した後に撹拌して濃度を均一にするが、手元に撹拌用の棒やスプーンをわざわざ用意するのが面倒であることから、タグ付き糸を揺らすことで済ますときがあるが、撹拌が不十分な場合が多い。
【先行技術文献】
【特許文献】
【０００５】
【特許文献１】特開２０１０−００４８９７号公報
【特許文献２】特許２００１−２５８７４３号公報
【発明の概要】
【発明が解決しようとする課題】
【０００６】
本発明は、上記した問題点に鑑みてなされたものであり、コンパクトでありながら、バッグ本体をカップ内の湯や水の中に沈み込ませたり、十分に撹拌させたりできる構成になっており、且つタグ付き糸を固着した抽出用バッグ用の製袋充填装置にかけて一連の工程で連続的に効率良く製造できる抽出用バッグを提供することを、その目的とする。
【課題を解決するための手段】
【０００７】
本発明は、上記目的を達成するためになされたものであり、請求項１の発明は、フィルター材シートの合わせシールにより製袋化され、内部に被抽出物が充填されたバッグ本体と、前記バッグ本体に固着されたシート状の把持部を備えた抽出用バッグにおいて、前記把持部は、前記バッグ本体上に上下方向からはみ出さない位置で重ね合わされ、その下端部が固着されて連設されており、抽出時に、前記把持部が前記バッグ本体に対して起こされることを特徴とする抽出用バッグである。
【０００８】
請求項２の発明は、請求項１に記載した抽出用バッグにおいて、バッグ本体は、フィルター材シートの背面側の合わせシールと上下方向での合わせシールにより製袋化されていることを特徴とする抽出用バッグである。
【０００９】
請求項３の発明は、請求項２に記載した抽出用バッグにおいて、把持部にはカップの縁に係止またはカップの縁上に載置するためのホルダー片が左右両方に一体に形成されており、バッグ本体上に重ね合わされた状態では左右方向からはみ出していることを特徴とする抽出用バッグである。
【００１０】
請求項４の発明は、請求項１から３のいずれかに記載した抽出用バッグにおいて、バッグ本体は平袋状に製袋化されていることを特徴とする抽出用バッグである。
【００１１】
請求項５の発明は、請求項１から４のいずれかに記載した抽出用バッグの製造方法において、連続したフィルター材シート上に所定の間隔をおいて複数の把持部が配置され固着されたものを準備しておき、その連続したシートを前記把持部の下端部側が先になる向きで長手方向へ送りながらその両側縁を重ね合わせて長手方向に縦シール部を形成し、その後に所定の間隔をあけて幅方向にそれぞれ横シール部を形成することにより製袋化すると共に、横シール部の形成の間に被抽出物の充填を行うことで製袋充填することを特徴とする製造方法である。
【発明の効果】
【００１２】
本発明の抽出用バッグによれば、コンパクトでありながら、バッグ本体をカップ内の湯や水の中に沈み込ませたり、十分に撹拌させたりできる構成になっており、しかも慣用的な製袋充填装置にかけて一連の工程で連続的に効率良く製造できる。
【図面の簡単な説明】
【００１３】
【図１】本発明の第１の実施の形態に係る抽出用バッグの正面図である。
【図２】図１の抽出用バッグに製袋化するフィルター材シートの上面図である。
【図３】図１の抽出用バッグに製袋充填する工程の説明図である。
【図４】図１の抽出用バッグの使用状態を示す図である。
【図５】図１の抽出用バッグの使用状態を示す図である。
【図６】本発明の第２の実施の形態に係る抽出用バッグの正面図である。
【図７】図６の抽出用バッグの使用状態を示す図である。
【図８】従来例の抽出用バッグの斜視図である。
【発明を実施するための形態】
【００１４】
本発明の第１の実施の形態に係る抽出用バッグ１を、図１から図５に従って説明する。
この抽出用バッグ１はバッグ本体３とホルダー１３とで構成されている。
バッグ本体３は従来から用いられている透液性フィルター材シートで構成されている。このバッグ本体３は一枚のフィルター材シート５から折り曲げと合わせシールにより平袋状に製袋化されている。具体的には、図１で、正面側から見て左右両側部がそれぞれ背面側に折り曲げられ、それぞれの縁が合わされてシールされると共に、上部と下部のそれぞれの縁が合わされてシールされて平袋状になっている。
区別するために、合わせシール部を、背面側シール部７と、上側シール部９と、下側シール部１１とする。なお、後述する縦シール手段３１の都合上、背面側シール部７は僅かであるがバッグ本体３をなす筒状体よりはみ出すが、その部分は一方側に折り畳まれており、その後に上側シール部９と下側シール部１１が形成されて封止されている。
バッグ本体３内には被抽出物としての茶Ｔが充填されている。
【００１５】
ホルダー１３は一枚の板紙状部材で構成されている。この部材は従来からドリップバッグのホルダー用に用いられているものである。ホルダー１３は打ち抜かれて人の上半身を模した形状になっている。すなわち、頭部１５の下に胸部１７が来て、左右両側には腕部１９、１９がそれぞれ左右外方に延びている。各腕部１９は胸部１７との間にほぼＶ字状に為すように広げられている。
頭部１５から胸部１７に至る部分が把持部としての機能を担い、腕部１９がホルダー片としての機能を担っている。
【００１６】
ホルダー１３は上下反転した状態でバッグ本体３の正面側に重ね合わされている。胸部１７の水平直線状の下端縁はバッグ本体３の上側縁に沿ってその若干内方に位置している。頭部５と胸部１７はバッグ本体３の上下範囲内に収まっている。一方、両腕部１９、１９はバッグ本体３から左右外方にそれぞれ同じように突出してはみ出している。
この重ね合わされた状態で、胸部１７の下端縁はバッグ本体３の正面側のフィルター材シート５に対してシールされて固着されている。符号２１がその固着部分になっている。
【００１７】
上記した構成の抽出用バッグ１の製造方法について、図２、図３に従って説明する。
図２に示す長尺な連続したフィルター材シート２３を準備する。この連続したフィルター材シート２３は上下方向が長手方向になっており、複数のホルダー１３が上下方向に一定の間隔をおいて重ね合わされて、固着されている。各ホルダー１３は横方向中央部分に配置されて上下方向に一列に整列している。連続したフィルター材シート２３の左右両側の一点鎖線部分は縦シール予定部２５になっている。また、上下方向の一点鎖線部分は横シール予定部２７になっている。上下に隣り合う横シール予定部２７、２７で区切られた部分が１つのバッグ本体３を形成するフィルター材シート５になっている。ホルダー１３は各フィルター材シート５内に収まっている。
【００１８】
上記した構成の連続したフィルター材シート２３を、製袋充填装置にかける。図３に示すように、製袋充填装置は、タグ付き糸を固着したタイプの抽出用バッグを製造する典型的なタイプのものであり、投入シュート２９と、縦シール手段３１と、横シール手段３３とを備えている。投入シュート２９は円筒状で内部が被抽出物である茶Ｔを供給する通路になっており、外周面は連続したフィルター材シート２３のガイドとしての機能を担っている。縦シール手段３１と横シール手段３３はいずれも超音波ホーン３５と受けロール３７とが対向した構成になっているが、シール方向の違いから超音波ホーン３５と受けロール３７の設置位置が異なっている。
【００１９】
連続したフィルター材シート２３はロール状に巻き取られており、そこから繰り出され、被抽出物である茶Ｔの円筒形投入シュート２９の外周面に沿わされながら矢印に示すように長手方向を下向きに送り出される。そして、その側縁どうしが重ね合わされた状態で縦シール手段３１の超音波ホーン３５と受けロール３７の間に挟まれシールアンドカットされて縦シール予定部２５に沿ってシールされる。ホルダー１３が固着されている側が正面側になっており、背面側に縦シール予定部２５がきているので、縦シール予定部２５上にシールされた部分は背面側シール部７になっている。
背面側シール部７が形成されると、筒状体となる。
【００２０】
連続したフィルター材シート２３は、さらに下向きに送り出され、今度は横シール手段３３の超音波ホーン３５と受けロール３７の間に挟まれシールアンドカットされて横シール予定部２７に沿って幅方向がシールされる。重ね合わされたホルダー１３の頭部１５側がシールされるので、このシールされた部分は下側シール部１１になっている。
下側シール部１１が形成されると、製袋充填装置では下側シール部１１が下に来ているので有底の袋体となる。
被抽出物としての茶Ｔが投入シュート２９の内側を通って袋体内に落下し充填された後、連続したフィルター材シート２３は、さらに、下方に送り出される。
【００２１】
そして、所定のピッチだけさらに下向きに送り出されると、再び横シール手段３３の超音波ホーン３５と受けロール３７が矢印に示すように動いてその間に挟まれ、シールアンドカットされて横シール予定部２７に沿って幅方向がシールされる。今度はホルダー１３の胸部１７側がシールされるので、このシールされた部分は上側シール部９になっている。
上側シール部９が形成されると、封止された袋体となる。
これにより、製袋充填工程が終了し、図１に示す１つの抽出用バッグ１が製造されたことになる。横シールの際にはカットもしているので、抽出用バッグ１は連続したフィルター材シート２３から切り離されている。
このようにして、抽出用バッグ１が連続的に製造されていく。
【００２２】
次に、抽出用バッグ１の使用方法について説明する。
抽出用バッグ１は、使用前には、図１に示すように、ホルダー１３がバッグ本体３側に重ね合わされたコンパクトな状態で外袋（図示省略）に収容されている。
使用時には、外袋を開いて取り出し、ホルダー１３の頭部１５を把持して起こす。
図４に示すように、ホルダー１３を持ち上げると、バッグ本体３はフィルター材シート５上の固着部分２１を介して折り曲げられ、連接先のホルダー１３に吊り下げられた状態になる。
【００２３】
この状態で、図５に示すように、湯の入ったカップＣにバッグ本体３を入れ、ホルダー１３の両腕部１９、１９をそれぞれカップＣの縁に係止させて、茶Ｔを抽出させる。
この状態では、バッグ本体３はホルダー１３に押えられていることから、カップＣの湯中に沈み込み、浮き上がって湯上にまで出てきてしまうことはない。抽出後には、ホルダー１３をカップＣから外し、バッグ本体３を揺らして撹拌することができる。
【００２４】
次に、第２の実施の形態に係る抽出用バッグ３９について、図６、図７に従って説明する。
図６に示すように、この抽出用バッグ３９のバッグ本体３には、把持部としてホルダー１３の代わりにＴ字状部４１が固着されている。
この抽出用バッグ３９は、Ｔ字状部４１の棒状部分４３を把持して起こし持ち上げると、バッグ本体３はフィルター材シート５上の固着部分２１を介して折り曲げられ、Ｔ字状部４１に吊り下げられた状態になる。
この状態で、図７に示すように、湯の入ったカップＣにバッグ本体３を入れ、茶Ｔを抽出させる。バッグ本体３はＴ字状部４１に押えられていることから、カップＣの湯中に沈み込んでおり、途中で浮き上がることはない。抽出後には、バッグ本体３を揺らして撹拌することができる。
【００２５】
以上、本発明の実施の形態を説明したが、本発明の具体的構成は上記の実施の形態に限定されるものではなく、本発明の要旨から外れない範囲での設計変更があっても本発明に含まれる。
上記したフィルター材シート５の材料としては、例えば、ポリエチレン繊維製不織布及びメッシュ、ポリプロピレン繊維製不織布及びメッシュ、ナイロン製不職布及びメッシュ等のプラスチック製不織布及びメッシュ等が適用できる。
また被抽出物としては茶葉類に限らず、コーヒー等でもよい。
【産業上の利用可能性】
【００２６】
本発明の抽出用バッグは、タグ付き糸を固着した抽出用バッグと同じように、既存の製袋充填装置を用いて、一連の工程で連続的に効率良く製造できる。
【符号の説明】
【００２７】
１‥‥抽出用バッグ（第１の実施の形態）
３‥‥バッグ本体                        ５‥‥フィルター材シート
７‥‥背面側シール部                    ９‥‥上側シール部
１１‥‥下側シール部                    １３‥‥ホルダー
１５‥‥頭部                            １７‥‥胸部  
１９‥‥腕部                            ２１‥‥固着部分    
２３‥‥連続したフィルター材シート      ２５‥‥縦シール予定部
２７‥‥横シール予定部                  ２９‥‥投入シュート
３１‥‥縦シール手段                    ３３‥‥横シール手段
３５‥‥超音波ホーン                    ３７‥‥受けロール    
３９‥‥抽出用バッグ（第２の実施の形態）
４１‥‥Ｔ字状部
Ｔ‥‥茶        Ｃ‥‥カップ
【図１】
2012187278.tif 000003
【図２】
2012187278.tif 000004
【図３】
2012187278.tif 000005
【図４】
2012187278.tif 000006
【図５】
2012187278.tif 000007
【図６】
2012187278.tif 000008
【図７】
2012187278.tif 000009
【図８】
2012187278.tif 000010